(57)【要約】【課題】室内空気の換気に使用される熱交換形換気装置において、本体の小形化により省施工性を図ることを目的とする。【解決手段】室外側吸込口１、室内側吐出口２、室内側吸込口６、室外側吐出口７を設けた本体１３内に設けられる給気用送風機５を形成するスクロール形ケーシング４Ａの風路拡大部１４Ａの側壁１５Ａと、排気用送風機９を形成するスクロール形ケーシング４Ｂの風路拡大部１４Ｂの側壁１５Ｂを背中合わせとなるように対向させて並設し、室内側吐出口２と室外側吐出口７が近づくようにして本体１３の幅を小さく形成して省施工性を図ることのできる熱交換形換気装置が得られる。【選択図】図１
2005106443.tif 000002
【特許請求の範囲】
【請求項１】
室外側吸込口と室内側吐出口とを連通する室外側空気流路と、この室外側空気流路内に設けられるスクロール形ケーシングを設けた給気用送風機と、室内側吸込口と室外側吐出口を連通する室内側空気流路と、この室内側空気流路内に設けられるスクロール形ケーシングを設けた排気用送風機と、前記室外側空気流路と室内側空気流路を通る空気間で熱交換を行う熱交換素子と、前面に着脱自在のパネルを設けた箱形の本体とを備え、前記室内側吐出口と室外側吐出口が近づくように前記給気用送風機と排気用送風機を、スクロール形ケーシングの風路拡大部側の側壁を対向させて並設するとともに、各送風機のモータの軸心を前記本体の厚み方向とした熱交換形換気装置。
【請求項２】
室外側吸込口、室内側吐出口、室内側吸込口、室外側吐出口を本体の一面に設けた請求項１記載の熱交換形換気装置。
【請求項３】
室外側吸込口と室外側吐出口を一対として室外側に対応させ、室内側吸込口と室内側吐出口を一対として室内側に対応させるように本体に配設した請求項１または２記載の熱交換形換気装置。
【請求項４】
本体の一面に設けられる室外側吸込口、室外側吐出口、室内側吸込口、室内側吐出口の位置をづらして略ジグザグ状に配設した請求項１、２または３記載の熱交換形換気装置。
【請求項５】
熱交換素子を介さないで排気される局所排気口を、室外側吸込口、室外側吐出口、室内側吸込口、室内側吐出口の設けられる本体の一面または排気用送風機の近傍に設けた請求項１〜３または４記載の熱交換形換気装置。
【請求項６】
本体の下面にドレン配管の方向を左右逆方向に変換可能なドレンパンを設けた請求項１〜４または５記載の熱交換形換気装置。
【発明の詳細な説明】
【技術分野】
【０００１】
本発明は、汚染された室内空気を換気する換気装置として使用され、換気される空気中の熱を回収しながら換気する熱交換形換気装置に関する。
【背景技術】
【０００２】
従来、この種の熱交換形換気装置の一例として、熱交換素子の前後に給気用送風機と排気用送風機を設けた換気空調ユニットが知られている（例えば、特許文献１参照）。
【０００３】
以下、その換気空調ユニットについて図９を参照しながら説明する。
【０００４】
図に示すように、箱状の本体１０１の前面に室内側吸込口１０２と室内側吐出口１０３を設け、その内側の本体１０１内に給気用送風機１０４をを設け、本体１０１後面に室外側吸込口１０５と室外側吐出口１０６を設け、その内側の本体１０１内に排気用送風機１０７を設け、室内側吸込口１０２から室外側吐出口１０６に至る排気空気流路１０８と、室外側吸込口１０５から室内側吐出口１０３に至る給気空気流路１０９の空気間で熱交換する熱交換素子１１０を給気用送風機１０４と排気用送風機１０７との中間位置に配設し、天井内に設置していた。
【特許文献１】特開２０００−１７１０７０号公報（［００２１］、図１）
【発明の開示】
【発明が解決しようとする課題】
【０００５】
このような従来の換気空調ユニットでは、熱交換素子１１０を挟み前後に給気用送風機１０４と排気用送風機１０７を設け、各部材が一列に並べ配設されることにより、本体１０１の形状が長手方向に大きくなるという課題があり、本体を小形にすることが要求されている。
【０００６】
また、本体１０１を天井内に設置するため設置作業やメンテナンス作業が困難であるという課題があり、作業を容易にできるようにすることが要求されている。
【０００７】
また、本体１０１の一面に室外側吸込口１０２と室内側吐出口１０３を設け、他の面に室外側吸込口１０５と室外側吐出口１０６を設けていることにより、本体１０１を内壁間に施工する場合には、ダクト配管が困難であるという課題がありダクトの配管性を高めることが要求されている。
【０００８】
本発明は、このような従来の課題を解決するもので、本体の小形化および、省施工性と省メンテナンス性を図ることができる熱交換形換気装置を提供することを目的としている。
【課題を解決するための手段】
【０００９】
本発明の熱交換形換気装置は上記目的を達成するために、室外側空気流路内に設けられるスクロール形ケーシングを設けた給気用送風機と、室内側空気流路内に設けられるスクロール形ケーシングを設けた排気用送風機を、室内側吐出口と室外側吐出口が近づくように各スクロール形ケーシングの風路拡大部側の側壁を対向させて並設し、各送風機のモータの軸心を本体の厚み方向に設けたものである。
【００１０】
この手段により、本体の横幅を小さくすることができるとともに、厚みを薄形にして小形化を図ることができる熱交換形換気装置が得られる。
【００１１】
また、他の手段は、室外側吸込口、室内側吐出口、室内側吸込口、室外側吐出口を本体の一面に設けたものである。
【００１２】
この手段により、ダクトの配管性が良くなるとともに、省施工化を図ることができる熱交換形換気装置が得られる。
【００１３】
また、他の手段は、室外側吸込口と室外側吐出口を一対とし室外に対応させ、室内側吸込口と室内側吐出口を一対として室内側に対応させるように本体に配設したものである。
【００１４】
この手段により、ダクト配管時のダクトの引回し性が良くなり省施工化の熱交換形換気装置が得られる。
【００１５】
また、他の手段は、本体の一面に設けられる室外側吸込口、室外側吐出口、室内側吸込口、室内側吐出口の位置をづらして略ジグザグ状に配設したものである。
【００１６】
この手段により、本体の小形化を図れる熱交換形換気装置が得られる。
【００１７】
また、他の手段は、熱交換素子を介さないで排気される局所排気口を、室外側吸込口、室外側吐出口、室内側吸込口、室内側吐出口の設けられる本体の一面または排気用送風機の近傍に設けたものである。
【００１８】
この手段により、ダクトの配管性が良くなり省施工化の局所排気口が得られる。
【００１９】
また、他の手段は、本体の下面にドレン配管の方向を左右逆方向に変換可能なドレンパンを設けたものである。
【００２０】
この手段により、ドレンパンを小形に形成できるとともに、ドレンホースの省施工化を図ることができる熱交換形換気装置のドレンパンが得られる。
【発明の効果】
【００２１】
本発明によれば、本体の小形化および、省施工性と省メンテナンス性を図ることのできるという効果のある熱交換形換気装置を提供できる。
【００２２】
また、ダクトの配管性が良く省施工化の図れる局所排気口を設けた熱交換形換気装置を提供できる。
【００２３】
また、小形でドレンホースの省施工化を図ることのできるドレンパンを設けた熱交換形換気装置を提供できる。
【発明を実施するための最良の形態】
【００２４】
本発明の請求項１記載の発明は、室外側吸込口と室内側吐出口とを連通する室外側空気流路と、この室外側空気流路内に設けられるスクロール形ケーシングを設けた給気用送風機と、室内側吸込口と室外側吐出口を連通する室内側空気流路と、この室内側空気流路内に設けられるスクロール形ケーシングを設けた排気用送風機と、前記室外側空気流路と室内側空気流路を通る空気間で熱交換を行う熱交換素子と、前面に着脱自在のパネルを設けた箱形の本体とを備え、前記室内側吐出口と室外側吐出口が近づくように前記給気用送風機と排気用送風機を、スクロール形ケーシングの風路拡大部側の側壁を対向させて並設するとともに、各送風機のモータの軸心を前記本体の厚み方向としたものであり、本体の幅を小さくすることができるとともに、本体の設置方向となる本体の厚み方向をモータの軸心方向とすることにより本体を薄形に形成することができ、取付場所の自由度が大きくなり、本体の設置も容易になる。
【００２５】
また、本体を天井裏ではなく壁面に取り付けることで、脚立を使用して高所で作業を行うことがなくなり安全性が高められるとともに、省メンテナンス性が図れるという作用を有する。
【００２６】
また、請求項２記載の発明は、室外側吸込口、室内側吐出口、室内側吸込口、室外側吐出口を本体の一面に設けたものであり、ダクトの接続部分が本体の一面に設けられるので、本体設置時のダクトの配管性が良く省施工化が図れるという作用を有する。
【００２７】
また、請求項３記載の発明は、室外側吸込口と室外側吐出口を一対として室外側に対応させ、室内側吸込口と室内側吐出口を一対として室内側に対応させるように本体に配設したものであり、本体から室外に通じるダクトと、室内側に通じるダクトが互いに交差することが無くなるので、ダクト配管時のダクトの引回し性が良く省施工化が図れるという作用を有する。
【００２８】
また、請求項４記載の発明は、本体の一面に設けられる室外側吸込口、室外側吐出口、室内側吸込口、室内側吐出口の位置をづらして略ジグザグ状に配設したものであり、ダクトの接続される各口の位置の間隔を小さくすることができ、本体の幅が小さくなり小形化が図れるとともに、本体施工時の取り付け場所の自由度が大きくなるという作用を有する。
【００２９】
また、請求項５記載の発明は、熱交換素子を介さないで排気される局所排気口を、室外側吸込口、室外側吐出口、室内側吸込口、室内側吐出口の設けられる本体の一面または、排気用送風機の近傍に設けたものであり、局所排気用のダクトの配管性が良くなり、省施工化が図れるという作用を有する。
【００３０】
また、請求項６記載の発明は、本体の下面にドレン配管の方向を左右逆方向に変換可能なドレンパンを設けたものであり、断面積の小さい本体の下面に設けられることによりドレンパンを小形に形成できるとともに、ドレンホース配管時のホースの引回しなどの自由度が大きくなり、省施工化が図れるという作用を有する。
【００３１】
以下、本発明の実施の形態について図面を参照しながら説明する。
【００３２】
（実施の形態１）
図１〜図４に示すように、室外側吸込口１と室内側吐出口２を連通する室外側空気流路３に設けられるスクロール形ケーシング４Ａを設けた給気用送風機５と、室内側吸込口６と室外側吐出口７とを連通する室内側空気流路８と、室内側空気流路８に設けられるスクロール形ケーシング４Ｂを設けた排気用送風機９と、室外側空気流路３と室内側空気流路８を通る空気間で熱交換を行う熱交換素子１０を給気用送風機５および排気用送風機９の下方に設け、熱交換素子１０の風上側にはフィルター１１を設け、前面に着脱自在なパネル１２を設けた箱形の本体１３内に収納する。
【００３３】
また、本体１３内に収納される給気用送風機５のスクロール形ケーシング４Ａの風路拡大部１４Ａの側壁１５Ａと、排気用送風機９のスクロール形ケーシング４Ｂの風路拡大部１４Ｂの側壁１５Ｂを対向させて並設し室内側吐出口２と室外側吐出口７が近づくように設け、給気用送風機５のモーター１６Ａと排気用送風機９のモータ１６Ｂの軸心が本体１３の設置方向となる厚み方向に設ける。
【００３４】
また、本体１３の上面となる一面１７に室外側吸込口１と室外側吐出口７および室内側吸込口６と室内側吐出口２を本体１３の横幅方向に一列に並設し、本体１３の下面にはドレンパン１８を設け、本体１３の側面には本体１３を壁面１９に取り付ける取付金具２０を設ける。
【００３５】
上記構成において、熱交換形換気装置を設置するときには、望ましくは、建物内の人が余り居住しない納戸やクローゼット等の部屋の天井２１近くの壁面１９に取付金具２０により取り付け、室外側吸込口１および室外側吐出口７は、天井裏２２に配管される室外側ダクト２３を介して室外と連通するように施工し、室内側吸込口６および室内側吐出口２は、天井裏２２に配管される室内側ダクト２４を介して室内と連通するように施工し、室内の数が複数ある場合には分岐ダクト（図示せず）を天井裏２２内に設けて対応させる。
【００３６】
このように施工して設置された熱交換形換気装置を運転すると、排気用送風機９により室内側の空気が室内側ダクト２４を介して室内側吸込口６より本体１３内の室外側空気流路８内に送られフィルター１１を介して熱交換素子１０を通り、熱交換素子１０に蓄熱したのち、室外側吐出口７より室外側ダクト２３を経て室外に排気される。
【００３７】
一方、給気用送風機５により室外側の空気が室外側ダクト２３を介して室外側吸込口１より本体１３内の室外側空気流路３内に送られフィルター１１を介して熱交換素子１０に蓄熱された熱を回収しながら熱交換素子１０を通り室内側吐出口２より室内側ダクト２４を介して室内側に給気される。
【００３８】
また、給気用送風機５のスクロール形ケーシング４Ａの風路拡大部１４Ａの側壁１５Ａと排気用送風機９のスクロール形ケーシング４Ｂの風路拡大部１４Ｂの側壁１５Ｂを対向させて室内側吐出口２と室外側吐出口７を近づけることにより本体１３の横幅は小さくなり、また、給気用送風機５のモータ１６Ａと排気用送風機９のモータ１６Ｂの軸心を本体１３の設置方向となる本体１３の厚み方向としたことにより本体
１３の厚みが薄くなる。
【００３９】
また、室外側吸込口１、室内側吐出口２、室内側吸込口６、室外側吐出口７を本体１３の上面となる一面に設けることにより、天井裏２２内で配管される室外側ダクト２３および室内側ダクト２４の配管が行ない易くなるとともに、室外側吸込口１と室外側吐出口２を一対とし、室外側ダクト２３を使用して室外と対応させ、室内側吸込口６と室内側吐出口２を一対とし、室内側ダクト２４を使用して室内に対応させることにより、室外側ダクト２３および室内側ダクト２４の天井裏２２内での引回しが容易となる。
【００４０】
また、本体１３内の掃除やメンテナンスを行うときには、本体１３の前面に設けたパネル１２を取り外すことにより、本体１３内部の点検および掃除や、フィルター１１および熱交換素子１０の交換を行うことができる。
【００４１】
（実施の形態２）
図５に示すように、本体１３Ａの一面１７Ａに設けられる室外側吸込口１Ａ、室内側吐出口２Ａ、室内側吸込口６Ａ、室外側吐出口７Ａの位置をづらして略ジグザグ状に配設した構成とする。
【００４２】
上記構成において、室外側吸込口１Ａ、室外側吐出口２Ａ、室内側吸込口６Ａ、室外側吐出口７Ａの間隔は一列に並べた場合と比較して小さくすることができ、本体１３Ａの横幅が小さくなるように本体１３Ａの一面１７Ａを有効に活用することができるとともに、室外側ダクト２３および室内側ダクト２４の各ダクトの接続位置がづれることにより、ダクトの重なりがなくなり、ダクトの配管性も良くなる。
【００４３】
（実施の形態３）
図６および図７に示すように、熱交換素子１０Ａを介さないで排気される局所排気口２５を、室外側吸込口１Ｂ、室外側吐出口７Ｂ、室内側吸込口６Ｂ、室内側吐出口２Ｂの設けられる本体１３Ｂの一面１７Ｂに設け、局所排気口２５は排気用送風機９Ａの吸込口２６に直接連通するように設け構成する。
【００４４】
上記構成において、局所排気口２５に局所排気ダクト２７を介してトイレや浴室等と連通するように接続し、排気用送風機９Ａが運転されると、局所排気ダクト２７を介してトイレや浴室等の空気が局所排気口２５より、排気用送風機９Ａの吸込口２６に吸い込まれて室外側吐出口７Ｂより室外側ダクト２７を通り室外に排気され、トイレの臭気や浴室の湿気等が他の部屋に流入することがなくなる。
【００４５】
なお、実施の形態３では、局所排気口２５を本体１３Ｂの天面となる一面１７Ｂに設けたが、局所口排気２５は排気用送風機９Ａの近傍に設ければ同一の作用効果をもたらすものである。
【００４６】
（実施の形態４）
図８に示すように、本体１３Ｃの下面に一端にドレン配管２８を設けたドレンパン１８Ａを左右逆方向に変換して取付ねじ２９で取り付ける構成とする。
【００４７】
上記構成において、本体１３Ｃの設置状況によって、ドレン配管２８を本体１３Ｃに向って右側に設けるときには図示した状態でドレンパン１８Ａを取付ねじ２９により本体１３Ｃの下面に取り付け、ドレン配管２８を本体１３Ｃに向って左側に設けたいときにはドレンパン１８Ａの方向を変換して対応することができる。
【産業上の利用可能性】
【００４８】
中空に形成した壁部内にも用意に設けることができ、本体が室内に露出しないようにすることができる壁押込形にも適用できる。
【図面の簡単な説明】
【００４９】
【図１】本発明の実施の形態１の熱交換形換気装置の内部構成を示す正面図
【図２】同熱交換形換気装置の設置状態を示す給気側の断面図
【図３】同熱交換形換気装置の設置状態を示す排気側の断面図
【図４】同熱交換形換気装置の斜視図
【図５】本発明の実施の形態２の熱交換形換気装置の斜視図
【図６】本発明の実施の形態３の熱交換形換気装置の内部構成を示す正面図
【図７】同熱交換形換気装置の斜視図
【図８】本発明の実施の形態４の熱交換形換気装置のドレンパンの取付時の状態を示す斜視図
【図９】従来の換気空調ユニットの構成を示す斜視図
【符号の説明】
【００５０】
１  室外側吸込口
１Ａ  室外側吸込口
１Ｂ  室外側吸込口
２  室内側吐出口
２Ａ  室内側吐出口
２Ｂ  室内側吐出口
３  室外側空気流路
４Ａ  スクロール形ケーシング
４Ｂ  スクロール形ケーシング
５  給気用送風機
６  室内側吸込口
６Ａ  室内側吸込口
６Ｂ  室内側吸込口
７  室外側吐出口
７Ａ  室外側吐出口
７Ｂ  室外側吐出口
８  室内側空気流路
９  排気用送風機
９Ａ  排気用送風機
１０  熱交換素子
１０Ａ  熱交換素子
１２  パネル
１３  本体
１３Ａ  本体
１３Ｂ  本体
１３Ｃ  本体
１４Ａ  風路拡大部
１４Ｂ  風路拡大部
１５Ａ  側壁
１５Ｂ  側壁
１６Ａ  モータ
１６Ｂ  モータ
１７  一面
１７Ａ  一面
１７Ｂ  一面
１８Ａ  ドレンパン
２５  局所排気口
２８  ドレン配管
【図１】
2005106443.tif 000003
【図２】
2005106443.tif 000004
【図３】
2005106443.tif 000005
【図４】
2005106443.tif 000006
【図５】
2005106443.tif 000007
【図６】
2005106443.tif 000008
【図７】
2005106443.tif 000009
【図８】
2005106443.tif 000010
【図９】
2005106443.tif 000011